(57)【要約】【課題】本発明は、アドレス設定器から火災感知器を取り外した直後でも、火災受信機の伝送モードを認識することができ、設定作業を効率的に実行することができる火災感知器を提供することを目的とする。【解決手段】火災感知器をアドレス設定器に接続し、特殊伝送モードにおける設定アドレス読み出しコマンドを連続で受信すると、連続アドレス読み出し認識フラグをセットする連続アドレス読み出し認識フラグセット手段を設け、特殊伝送コマンドを受信した後に、火災感知器を火災受信機に接続した際に、特殊伝送コマンドと異なるコマンドを受信したことを検出する検出手段を設け、特殊伝送コマンドと異なるコマンドを受信したことを、検出手段が検出すると、特殊伝送モードを終了し、通常伝送モードに切り替えるモード切替手段を設けた火災感知器である。【選択図】図３
2008191892.tif 000002
【特許請求の範囲】
【請求項１】
火災受信機から通常伝送コマンドを受信し、端末情報信号を返信する通常伝送モードと、端末アドレスの確認時または変更時に、アドレス設定器から特殊伝送コマンドを受信し、上記端末アドレスを返信する特殊伝送モードとを具備する火災感知器において、
上記火災感知器を上記アドレス設定器に接続し、上記特殊伝送モードにおける設定アドレス読み出しコマンドを連続で受信すると、連続アドレス読み出し認識フラグをセットする連続アドレス読み出し認識フラグセット手段と；
上記特殊伝送コマンドを受信した後に、上記火災感知器を上記火災受信機に接続した際に、上記特殊伝送コマンドと異なるコマンドを受信したことを検出する検出手段と；
上記特殊伝送コマンドと異なるコマンドを受信したことを、上記検出手段が検出すると、上記特殊伝送モードを終了し、上記通常伝送モードに切り替えるモード切替手段と；
を有することを特徴とする火災感知器。
【発明の詳細な説明】
【技術分野】
【０００１】
本発明は、火災感知器に関する。
【背景技術】
【０００２】
火災感知器等の従来の火災報知設備用端末機器は、アドレス設定器が、特殊伝送を用いる設定読み出しモード中に、アドレス設定器が送信するコマンドデータを受信し、また、同様に特殊伝送を用いるアドレス変更モード中に、アドレス設定器が送信するコマンドデータを受信し、設定アドレス等をアドレス設定器に返送する端末機器である。
【０００３】
なお、多くの端末機器の設定アドレスの確認を効率よくかつ正確に行うようにするために、アドレス設定器は、設定アドレス読み出しコマンドを、連続して端末機器に送信する。よって、火災報知設備用端末機器は、アドレス設定器から外した場合でも、特殊伝送モードを維持する。
【特許文献１】特開平７−２７２１７１号公報
【発明の開示】
【発明が解決しようとする課題】
【０００４】
したがって、アドレス設定器から、火災感知器を取り外して直ぐに、火災受信機に接続すると、ＣＰＵがリセットするまでの間、火災感知器を火災受信機に接続しても、通常伝送モードの火災感知器に切り替えることができない。特に発光回路に大容量のコンデンサを有する光電式煙感知器は、ＣＰＵがリセットするまでの時間が、たとえば、１０秒間を要するので、その間、光電式煙感知器を火災受信機に接続しても、通常伝送モードの火災感知器に切り替えることができない。
【０００５】
つまり、上記従来例では、アドレス設定器から火災感知器を取り外して直ぐに、火災受信機に接続した場合、光電式煙感知器のＣＰＵがリセットするまでの間、火災受信機から送信される伝送モードを認識することができないという問題がある。
【０００６】
本発明は、アドレス設定器から火災感知器を取り外した直後でも、火災受信機の伝送モードを認識することができ、設定作業を効率的に実行することができる火災感知器を提供することを目的とする。
【課題を解決するための手段】
【０００７】
本発明は、火災受信機から通常伝送コマンドを受信し、端末情報信号を返信する通常伝送モードと、端末アドレスの確認時または変更時に、アドレス設定器から特殊伝送コマンドを受信し、上記端末アドレスを返信する特殊伝送モードとを具備する火災感知器において、上記火災感知器を上記アドレス設定器に接続し、上記特殊伝送モードにおける設定アドレス読み出しコマンドを連続で受信すると、連続アドレス読み出し認識フラグをセットする連続アドレス読み出し認識フラグセット手段を設け、上記特殊伝送コマンドを受信した後に、上記火災感知器を上記火災受信機に接続した際に、上記特殊伝送コマンドと異なるコマンドを受信したことを検出する検出手段を設け、上記特殊伝送コマンドと異なるコマンドを受信したことを、上記検出手段が検出すると、上記特殊伝送モードを終了し、上記通常伝送モードに切り替えるモード切替手段を設けた火災感知器である。
【発明の効果】
【０００８】
本発明によれば、火災感知器のアドレスを確認または変更する特殊伝送モード状態にある火災感知器を、火災受信機から通常伝送コマンドを受信することで、端末情報信号を返信する通常伝送モードにするので、アドレス設定器から火災感知器を取り外した直後でも、火災受信機の伝送モードを認識することができ、設定作業を効率的に実行することができるという効果を奏する。
【発明を実施するための最良の形態】
【０００９】
発明を実施するための最良の形態は、次の実施例である。
【実施例１】
【００１０】
図１は、本発明の実施例１である光電式火災感知器１００を示すブロック図である。
【００１１】
光電式火災感知器１００は、発光回路Ｌと、受光・増幅回路１０と、制御回路２０と、送受信回路３０と、定電圧回路４０と、無極性化回路５０と、作動表示灯回路６０とを有する。
【００１２】
発光回路Ｌは、発光素子と発光用のコンデンサとを有する。
【００１３】
受光・増幅回路１０は、受光素子と受光出力信号の増幅回路とを有する。
【００１４】
制御回路２０は、ＣＰＵ等で構成され、伝送モード認識部を実現するものである。この伝送モード認識部は、特殊伝送モード中に特殊伝送コマンドにおけるアドレス読み出しコマンドを、アドレス設定器から連続で認識すれば、ＣＰＵのＲＡＭに連続アドレス読み出し認識フラグをセットし、一方、火災受信機から、特殊伝送モード中に通常伝送コマンドを認識すれば、連続アドレス読み出し認識フラグをクリアし、通常伝送モードの受信状態に切り替える。また、上記伝送モード認識部は、火災受信機からの通常伝送コマンドや、感度設定機、基板検査機、アドレス設定器等から送信される特殊伝送コマンドを受信し、解析し、要求された処理を実行する。
【００１５】
送受信回路３０は、火災受信機の通常伝送コマンドまたは、感度設定機、基板検査機、アドレス設定器等の特殊伝送コマンドを送受信する。上記「特殊伝送コマンド」は、端末アドレスの確認時または変更時に、上記端末アドレスをアドレス設定器に返信させるコマンドである。また、上記「通常伝送コマンド」は、火災受信機から通常伝送コマンドを受信し、端末情報信号を火災受信機に返信させるコマンドである。
【００１６】
図２は、アドレス設定器７０を示す図である。
【００１７】
アドレス設定器７０は、特殊伝送モードの１つである設定読み出しモードによって、火災感知器ＳＥ１の設定アドレスを確認し、また、特殊伝送モードの１つであるアドレス変更モードによって、火災感知器ＳＥ１の設定アドレスを変更する。
【００１８】
アドレス設定器７０は、火災感知器ＳＥ１を保持する保持部７１、７２と、操作表示部８０とを有する。操作表示部８０は、桁キー８１、８２、８３と、ＬＥＤ８４，８５、８６、８８と、電源キー８７と、実行キー８９とを有する。桁キー８１、８２、８３は、アドレスを指定する場合、そのアドレスの桁を指定する。ＬＥＤ８４は、数値キーも兼用し、これを押すことによって、アドレスを入力することができる。
【００１９】
次に、実施例１における動作について説明する。
【００２０】
図３、図４、図５は、実施例１の動作を示すフローチャートである。
【００２１】
まず、コマンドデータの受信が開始され、コマンドデータの受信が正常に完了すると（Ｓ１）、制御回路２０が受信コマンドデータを解析し（Ｓ２）、ここで、特殊伝送モード切り替えコマンドを受信していると（Ｓ３）、火災感知器ＳＥ１を特殊伝送モードに切り替える（Ｓ４）。
【００２２】
そして、火災感知器ＳＥ１が特殊伝送モードであり（Ｓ５）、コマンドデータが設定読み出しモードであると判断され（Ｓ６）、図４に示すフローチャートにおいて、設定アドレス読み出しコマンド（Ｓ２１）であれば、ＣＰＵのフラッシュメモリから感知器設定アドレスを読み出し（Ｓ２２）、アドレス読み出し１回フラグがセット済であれば（Ｓ２３）、ここで、アドレス設定器が使用されていると判断し、ＣＰＵのＲＡＭに連続アドレス読み出し認識フラグをセットする（Ｓ２４）。そして、アドレス設定器７０への返信準備を実行し（Ｓ２５）、アドレス返信を実行する（Ｓ２６）。
【００２３】
Ｓ２３でアドレス読み出し１回フラグがセット済でなければ、アドレス読み出し１回フラグをセットし（Ｓ２７）、アドレス設定器７０への返信準備を実行し（Ｓ２５）、アドレス返信を実行する（Ｓ２６）。
【００２４】
Ｓ２１で設定アドレス読み出しコマンドでないと判断すれば、その他感知器設定値を読み出し（Ｓ２８）、アドレス設定器以外のその他の設定器への感知器設定値の返信準備を実行し（Ｓ２５）、感知器設定値の返信を実行する（Ｓ２６）。
【００２５】
その後、受信待機処理を実行し（Ｓ１１）、Ｓ１に戻る。
【００２６】
一方で、火災感知器ＳＥ１が特殊伝送モードであり（Ｓ５）、コマンドデータによって設定読み出しモードでないと判断されると（Ｓ６）、このモードがアドレス変更モードであれば（Ｓ７）、アドレス変更処理を実行する（Ｓ８）。そして、アドレス設定器７０への返信を準備し（Ｓ９）、アドレス等を返信し（Ｓ１０）、受信待機処理を実行後に（Ｓ１１）、Ｓ１に戻る。
【００２７】
Ｓ８でアドレス変更モードではないと判断されると、感度設定モードかどうかを判断し（Ｓ１２）、感度設定モードであれば、感度設定処理を実行し（Ｓ１３）、感度設定器への返送を準備し（Ｓ１４）、設定値等を返信する（Ｓ１５）。
【００２８】
Ｓ１２で感度設定モードではないと判断されると、エラー処理を実行する（Ｓ１６）。そして、連続アドレス読み出し認識フラグがセットされていると判断されれば（Ｓ１７）、火災感知器ＳＥ１を、特殊伝送モードから通常伝送モードに切り替え（Ｓ１８）、連続アドレス認識フラグをクリアする。そして、受信待機処理を実行した後に（Ｓ１１）、Ｓ１に戻る。
【００２９】
つまり、火災感知器ＳＥ１をアドレス設定器７０に接続することによって、火災感知器ＳＥ１が特殊伝送モードにセットされた後に、この火災感知器ＳＥ１を火災受信機に接続すると、上記処理（Ｓ１〜Ｓ２８）によって、火災感知器ＳＥ１が自動的に通常伝送モードに切り替えられる。したがって、火災感知器ＳＥ１のアドレスを確認または変更する特殊伝送モード状態にある火災感知器が、火災受信機から通常伝送コマンドを受信し、端末情報信号を返信する通常伝送モードにするので、アドレス設定器７０から火災感知器ＳＥ１を取り外した直後でも、火災受信機の伝送モードを認識することができ、設定作業を効率的に実行することができる。
【００３０】
なお、Ｓ５で特殊伝送モードの火災感知器ではないと判断されると、図５に示すように、火災受信機の通常伝送コマンドに応答する。すなわち、システムポーリング（ＳＰ）であれば（Ｓ４１）、ＳＰを実行処理し（Ｓ４２）、受信待機処理を行う（Ｓ５０）。
【００３１】
また、Ｓ４１でシステムポーリングではないと判断され、ポイントポーリング（ＰＰ）であれば（Ｓ４３）、ＰＰ返信準備処理を実行し（Ｓ４４）、ＰＰ返信を実行し（Ｓ４５）、受信待機処理を行う（Ｓ５０）。
【００３２】
さらに、Ｓ４３でポイントポーリングではないと判断され、セレクティング（ＳＬ）であると判断されると（Ｓ４６）、ＳＬ返信準備処理を実行し（Ｓ４７）、ＳＬ返信を実行し（Ｓ４８）、受信待機処理を行う（Ｓ５０）。
【００３３】
またさらに、Ｓ４６でセレクティングではないと判断されると、エラー処理を実行し（Ｓ４９）、受信待機処理を行う（Ｓ５０）。
【００３４】
つまり、上記実施例において、アドレス設定器７０から火災感知器ＳＥ１を取り外して直ぐに、その火災感知器ＳＥ１を火災受信機に接続し、通常伝送のコマンドを受信すると、この通常伝送のコマンドは、特殊伝送には存在しないコマンドであるので、火災感知器ＳＥ１は、通常伝送のコマンド処理を実行することができない。よって、火災感知器ＳＥ１は、エラー処理を実行し、その後に、連続アドレス読み出し認識フラグを認識し、火災感知器ＳＥ１が通常伝送モードに切り替えられ、連続アドレス読み出し認識フラグはクリアされる。
【００３５】
この操作を実行することによって、アドレス設定器７０から火災感知器ＳＥ１を取り外した直後に、火災受信機に接続した場合、火災受信機からの通常伝送コマンドを、即座に認識することができる。
【００３６】
よって、従来例では、火災感知器ＳＥ１のＣＰＵがリセットするのを待ってから、火災受信機に接続しなければならないが、上記実施例では、火災感知器ＳＥ１のＣＰＵがリセットするのを待たずに、火災感知器ＳＥ１を火災受信機に接続し、火災受信機と交信することができるので、施工、点検時等に、アドレス変更や確認の作業が向上する。
【００３７】
つまり、上記実施例は、火災監視時に、火災受信機から、通常伝送コマンドを受信し、端末情報信号を返信する通常伝送モードと、端末アドレスの確認時または変更時に、アドレス設定器７０から特殊伝送コマンドを受信し、上記端末アドレスを返信する特殊伝送モードとを具備する火災感知器の例である。
【００３８】
また、制御手段２０は、上記火災感知器を上記アドレス設定器７０に接続し、上記特殊伝送モードにおける設定アドレス読み出しコマンドを連続で受信すると、連続アドレス読み出し認識フラグをセットする連続アドレス読み出し認識フラグセット手段の例である。
【００３９】
また、制御回路２０は、上記特殊伝送コマンドを受信した後に、上記火災感知器を上記火災受信機に接続した際に、上記特殊伝送コマンドと異なるコマンドを受信したことを検出する検出手段の例である。
【００４０】
さらに、制御回路２０は、上記特殊伝送コマンドと異なるコマンドを受信したことを、上記検出手段が検出すると、上記特殊伝送モードを終了し、上記通常伝送モードに切り替えるモード切替手段の例である。
【図面の簡単な説明】
【００４１】
【図１】本発明の実施例１である光電式火災感知器１００を示すブロック図である。
【図２】アドレス設定器７０を示す図である。
【図３】実施例１の動作を示すフローチャートである。
【図４】実施例１の動作を示すフローチャートである。
【図５】実施例１の動作を示すフローチャートである。
【符号の説明】
【００４２】
１００…光電式火災感知器、
Ｌ…発光回路、
１０…受光・増幅回路、
２０…制御回路、
３０…送受信回路、
４０…定電圧回路、
５０…無極性化回路、
６０…作動表示灯回路。
【図１】
2008191892.tif 000003
【図２】
2008191892.tif 000004
【図３】
2008191892.tif 000005
【図４】
2008191892.tif 000006
【図５】
2008191892.tif 000007